(57)【特許請求の範囲】
【請求項１】
携帯電話装置をマスタとして装着型無線通信装置に対して第１の通信リンクを確立し、前記携帯電話装置からヘッドセットに対して第２の通信リンクを確立させ、前記第１の通信リンクおよび前記第２の通信リンクを介して局地的な双方向無線通信を行うことが可能な携帯システムであって、
前記携帯電話装置は、
着信待ちのときは低消費電力モードによって前記局地的な双方向無線通信の動作を行い、
着信があったときには、前記第１の通信リンクを前記低消費電力モードからＡＣＬ（Asynchronous Connection Less）リンクによる通信接続フェーズの動作モードへ移行し、前記第２の通信リンクを前記低消費電力モードからＳＣＯ（Synchronous Connection Oriented）リンクによる通信接続フェーズの動作モードへ移行し、
前記ＳＣＯリンクが確立されると、着信報知信号を含むＳＣＯパケットを前記ヘッドセットに送信し、
前記装着型無線通信装置は、
操作部を有し、
前記操作部の操作に従って前記携帯電話装置を制御する命令信号を含むＡＣＬパケットを前記携帯電話装置に送信する
ことを特徴とする携帯システム。
【請求項２】
請求項１に記載の携帯システムに使用される前記携帯電話装置であって、
表示部を有する前記装着型無線通信装置に対して前記第１の通信リンクを介して通信相手から受信される画像を無線通信するよう構成されている
ことを特徴とする携帯電話装置。
【請求項３】
請求項１に記載の携帯システムに使用される前記装着型無線通信装置であって、
撮像部をさらに備え、前記携帯電話装置に対して前記第１の通信リンクを介して前記撮像部により撮像された画像を無線通信するよう構成されている
ことを特徴とする装着型無線通信装置。
【請求項４】
請求項１に記載の携帯システムに使用される前記装着型無線通信装置であって、
ユーザの腕に装着される腕時計形状をなし、計時機能と表示部とを有し、前記表示部に現在時刻を表示する腕時計として使用可能に構成されている
ことを特徴とする装着型無線通信装置。
【発明の詳細な説明】
【０００１】
［技術分野］
【０００２】
本発明は、ユーザが指、腕、首などに装着して携帯することができる装着型無線通信装置と携帯電話装置とを用いた携帯テレビ電話システムおよびこれにさらにヘッドセットを加えた携帯テレビ電話システムに関する。
【０００３】
［背景技術］
【０００４】
近年の携帯電話関連の技術の進歩に伴い、近い将来、いわゆる携帯テレビ電話が普及するものと思われる。現在でも、静止画あるいは１秒あたり数フレームの動画の送受信をすることができる簡易な携帯電話装置が提供されている。
【０００５】
この種の携帯電話装置は、その本体に、音声通話部と、撮像部と、表示部とが設けられている。このため、この携帯電話装置のユーザは、携帯電話装置の表示部に表示された通話相手からの受信画像を見るために、頭部から携帯電話装置を離す必要がある。また、ユーザは、携帯電話装置の撮像部により周囲の風景や人を撮像して通話相手に送るときにも、頭部から携帯電話装置を離す必要がある。このように頭部から離した状態で携帯電話装置を用いて通話を行う場合、ユーザは大声で話をしなければならない。
【０００６】
逆に、普通の大きさの声で通話を行うためには、ユーザは、その耳および口元に携帯電話装置を密着させる必要がある。この場合、ユーザは、携帯電話装置の表示部に移った通話相手の画像を見ることができず、また、携帯電話装置の撮像部により周囲の撮像を行うこともできない。
【０００７】
このように、従来の携帯電話装置は、通話相手の画像の確認や周囲の撮像と、通話とを同時に行うことができないという問題があった。
【０００８】
［発明の開示］
【０００９】
本発明の目的は、携帯電話装置のユーザが、通話相手の画像の確認や周囲の撮像と、通話とを同時に行うことを可能にする携帯テレビ電話システム、該システムによる通信方法、該システムを構成する装着型無線通信装置、携帯電話装置およびヘッドセットを提供することにある。
【００１０】
かかる目的を達成するため、この発明は、音楽情報を記憶するメモリと、前記メモリに記憶された音楽情報を再生し、音として出力するオーディオ再生部と、装着型無線通信装置との間で局地的な双方向無線通信が可能な携帯電話装置との間で局地的な双方向無線通信を行う局地的無線通信部と、前記局地的無線通信部により前記携帯電話装置から音楽情報を受信して前記メモリに格納するとともに、前記装着型無線通信装置から前記携帯電話装置を介して受信される命令信号に従って前記メモリに記憶された音楽情報の再生を前記オーディオ再生部に指示する制御部とを有するヘッドセットを提供する。
【００１１】
また好ましい態様において、前記メモリは前記ヘッドセットに対して着脱可能な半導体メモリである。
【００１２】
また本発明は、携帯電話装置と、装着型無線通信装置と、ヘッドセットとを有する携帯システムであって、前記携帯電話装置は、通信部と、前記装着型無線通信装置および前記ヘッドセットの各々との間で局地的な双方向無線通信を行う第１の局地的無線通信部と、着信があったときに、前記装着型無線通信装置と局地的な無線通信を行うための第１の通信リンクと前記ヘッドセットと局地的な無線通信を行うための第２の通信リンクを確立し、前記第１の通信リンクを介して受け取った前記装着型無線通信装置からの指示に従って処理を行う第１の制御部とを有し、前記装着型無線通信装置は、前記携帯電話装置との間で局地的な双方向無線通信を行う第２の局地的無線通信部を有し、前記ヘッドセットは、前記携帯電話装置との間で局地的な双方向無線通信を行う第３の局地的無線通信部と、音入出力部と、前記第３の局地的無線通信部により前記携帯電話装置から受信される音を前記音入出力部により出力するとともに、前記音入出力部を介して入力される音を前記第３の局地的無線通信部により前記携帯電話装置に送信する第３の制御部とを有する携帯システムを提供する。
【００１３】
また好ましい態様において、前記携帯電話装置の前記第１の制御部は、前記通信部により、ネットワークを介して通信相手との間で画像および音の通信を行い、前記通信相手から受信される音を前記第１の局地的無線通信部により前記ヘッドセットに送信するとともに、前記第１の局地的無線通信部により前記ヘッドセットから受信される音を前記通信部により前記通信相手に送信し、前記通信相手から受信される画像を前記第１の局地的無線通信部により前記装着型無線通信装置に送信するとともに、前記第１の局地的無線通信部により前記装着型無線通信装置から受信される画像を前記通信部により前記通信相手に送信し、前記装着型無線通信装置は、撮像部と、表示部と、前記第２の局地的無線通信部により前記携帯電話装置から受信された画像を前記表示部により表示するとともに前記撮像部により得られた画像を前記第２の局地的無線通信部により前記携帯電話装置に送信する第２の制御部とをさらに有する。
【００１４】
また別の好ましい態様において、前記装着型無線通信装置の第２の制御部は、前記第２の局地的無線通信部により前記携帯電話装置に着信応答指示を送信し、前記携帯電話装置の前記第１の制御部は、前記装着型無線通信装置から前記第１の通信リンクを介して着信応答指示を受け取ったときに前記通信相手との回線接続のための処理を行う。
【００１５】
また別の好ましい態様において、前記携帯電話装置は、前記第１の通信リンクを介して前記装着型無線通信装置から受信される情報を前記第２の通信リンクを介して前記ヘッドセットに送信する中継機能を有し、前記携帯電話装置の第１の制御部は、前記中継機能を利用し、前記ヘッドセットを制御するための命令信号を前記第１および第２のリンクを介して前記ヘッドセットに送信する。
【００１６】
また本発明は、携帯電話装置と、撮像部および表示部を有する装着型無線通信装置と、音入出力部を有するヘッドセットとによる通信方法であって、前記携帯電話装置は、着信があったときに、前記装着型無線通信装置と局地的な無線通信を行うための第１の通信リンクと前記ヘッドセットと局地的な無線通信を行うための第２の通信リンクを確立し、ネットワークを介して通信相手との間で画像および音の通信を行い、前記通信相手から受信される音を前記ヘッドセットの音入出力部から出力するとともに、前記音入出力部を介して入力される音を前記通信相手に送信し、前記通信相手から受信される画像を局地的な無線通信により前記装着型無線通信装置に送信するとともに、前記装着型無線通信装置から局地的な無線通信により画像を受信して前記通信相手に送信し、前記装着型無線通信装置は、局地的な無線通信により前記携帯電話装置から画像を受信して前記表示部により表示するとともに前記撮像部により撮像を行って画像を局地的な無線通信により前記携帯電話装置に送信し、前記ヘッドセットは、局地的な無線通信により前記携帯電話装置から音を受信して音入出力部から出力するとともに、前記音入出力部を介して入力される音を局地的な無線通信により前記携帯電話装置に送信する通信方法を提供する。
【００１７】
また好ましい態様において、前記装着型無線通信装置は、前記第１の通信リンクを介して前記携帯電話装置に着信応答指示を送信し、前記携帯電話装置は、前記装着型無線通信装置からの着信応答指示を受け取ったときに前記通信相手との回線接続のための処理を行う。
【００１８】
また別の好ましい態様において、前記携帯電話装置は、着信があったときに、前記第２の通信リンクを介して前記ヘッドセットに着信報知信号を送る。
【００１９】
また本発明は、通信部と、装着型無線通信装置とヘッドセットの各々との間で局地的な双方向無線通信を行う局地的無線通信部と、着信があったときに、前記局地的無線通信部により、前記装着型無線通信装置と局地的な無線通信を行うための第１の通信リンクと前記ヘッドセットと局地的な無線通信を行うための第２の通信リンクを確立する制御部とを有する携帯電話装置を提供する。
【００２０】
また好ましい態様において、前記制御部は、前記装着型無線通信装置から前記第１の通信リンクを介して着信応答指示を受け取ったときに前記通信相手との回線接続のための処理を行い、前記通信部により、ネットワークを介して通信相手との間で画像および音の通信を行い、前記通信相手から受信される音を前記局地的無線通信部により前記ヘッドセットに送信するとともに、前記局地的無線通信部により前記ヘッドセットから受信される音を前記通信部により前記通信相手に送信し、前記通信相手から受信される画像を前記局地的無線通信部により前記装着型無線通信装置に送信するとともに、前記局地的無線通信部により前記装着型無線通信装置から受信される画像を前記通信部により前記通信相手に送信する。
【００２１】
また別の好ましい態様において、前記制御部は、着信があったときに、前記第２の通信リンクを介して前記ヘッドセットに着信報知信号を送る。
【００２２】
また別の好ましい態様において、前記携帯電話装置は、前記第１の通信リンクを介して前記装着型無線通信装置から受信される情報を前記第２の通信リンクを介して前記ヘッドセットに送信する第１の中継機能を有し、前記制御部は、前記第１の中継機能を利用し、前記ヘッドセットを制御するための命令信号を前記第１および第２のリンクを介して前記ヘッドセットに送信する。
【００２３】
また別の好ましい態様において、前記携帯電話装置は、前記第２の通信リンクを介して前記ヘッドセットから受信される情報を前記第１の通信リンクを介して前記装着型無線通信装置に送信する第２の中継機能を有し、前記制御部は、前記第２の中継機能を利用し、前記ヘッドセットから前記第２および第１のリンクを介して情報を受信する。
【００２４】
また本発明は、撮像部と、表示部と、携帯電話装置との間に局所的な双方向無線通信のための第１の通信リンクを確立するとともに、音入出力部を有するヘッドセットとの間に局所的な双方向無線通信のための第２の通信リンクを確立し、前記第２の通信リンクを介して音データ通信を含む局地的な双方向無線通信を行う局地的無線通信部と、前記局地的無線通信部により前記携帯電話装置から受信された画像を前記表示部に表示し、前記撮像部により得られた画像を前記局地的無線通信部により前記携帯電話装置に送信するとともに、前記携帯電話装置を制御する命令信号を前記局地的無線通信部により送信する制御部とを有し、前記携帯電話装置は、前記第１の通信リンクを介して前記装着型無線通信装置から受信される情報を前記第２の通信リンクを介して前記ヘッドセットに送信する第１の中継機能を有し、前記制御部は、前記第１の中継機能を利用し、前記ヘッドセットを制御するための命令信号を前記第１および第２のリンクを介して前記ヘッドセットに送信する装着型無線通信装置を提供する。
【００２５】
また好ましい態様において、前記ヘッドセットは、音データを記憶するメモリと、前記メモリから音データを読み出し、前記音入出力部から音として出力するオーデイオ再生処理を行うオーディオ再生部とを有し、前記装着型無線通信装置の制御部は、音データのオーデイオ生成処理を指示する命令信号を前記ヘッドセットに送信する。
【００２６】
また別の好ましい態様において、前記携帯電話装置は、前記第２の通信リンクを介して前記ヘッドセットから受信される情報を前記第１の通信リンクを介して前記装着型無線通信装置に送信する第２の中継機能を有し、前記制御部は、前記第２の中継機能を利用し、前記ヘッドセットから前記第２および第１のリンクを介して情報を受信する。
【００２７】
また別の好ましい態様において、前記ヘッドセットは、音データを記憶するメモリと、前記メモリから音データを読み出し、前記音入出力部から音として出力するオーデイオ再生処理を行うオーディオ再生部と、前記メモリに記憶された情報の一覧を出力する装置とを有し、前記装着型無線通信装置は、操作部をさらに有し、前記制御部は、前記ヘッドセットから前記メモリに記憶された情報の一覧を受信して前記表示部に表示するとともに、前記操作部の操作により指示された音データのオーデイオ生成処理を指示する命令信号を前記ヘッドセットに送信する。
【００２８】
また別の好ましい態様において、前記装着型無線通信装置は、ユーザの腕に装着される腕時計形状をなし、計時機能を有し、通信により得た情報の表示を行わないときには、前記表示部に現在時刻を表示する。
【００２９】
また本発明は、携帯電話装置と、表示部を有する装着型無線通信装置と、音入出力部を有するヘッドセットとによる通信方法であって、前記携帯電話装置は、着信があったときに、前記装着型無線通信装置と局地的な無線通信を行うための第１の通信リンクと前記ヘッドセットと局地的な無線通信を行うための第２の通信リンクを確立し、ネットワークを介して通信相手との間で画像および音の通信を行い、前記通信相手から受信される音を前記ヘッドセットの音入出力部から出力するとともに、前記音入出力部を介して入力される音を前記通信相手に送信し、前記通信相手から受信される画像を局地的な無線通信により前記装着型無線通信装置に送信し、前記装着型無線通信装置は、局地的な無線通信により前記携帯電話装置から画像を受信して前記表示部により表示し、前記ヘッドセットは、局地的な無線通信により前記携帯電話装置から音を受信して音入出力部から出力するとともに、前記音入出力部を介して入力される音を局地的な無線通信により前記携帯電話装置に送信する通信方法を提供する。
【００３０】
また本発明は、表示部と、携帯電話装置との間に局所的な双方向無線通信のための第１の通信リンクを確立するとともに、音入出力部を有するヘッドセットとの間に局所的な双方向無線通信のための第２の通信リンクを確立し、前記第２の通信リンクを介して音データ通信を含む局地的な双方向無線通信を行う局地的無線通信部と、前記局地的無線通信部により前記携帯電話装置から受信された画像を前記表示部に表示するとともに、前記携帯電話装置を制御する命令信号を前記局地的無線通信部により送信する制御部とを有し、前記携帯電話装置は、前記第１の通信リンクを介して前記装着型無線通信装置から受信される情報を前記第２の通信リンクを介して前記ヘッドセットに送信する第１の中継機能を有し、前記制御部は、前記第１の中継機能を利用し、前記ヘッドセットを制御するための命令信号を前記第１および第２のリンクを介して前記ヘッドセットに送信する装着型無線通信装置を提供する。
【００３１】
また本発明は、携帯電話装置と、装着型無線通信装置と、音入出力部を有するヘッドセットとによる通信方法であって、前記携帯電話装置は、着信があったときに、前記装着型無線通信装置と局地的な無線通信を行うための第１の通信リンクと前記ヘッドセットと局地的な無線通信を行うための第２の通信リンクを確立し、ネットワークを介して通信相手との間で音の通信を行い、前記通信相手から受信される音を前記ヘッドセットの音入出力部から出力するとともに、前記音入出力部を介して入力される音を前記通信相手に送信し、前記ヘッドセットは、局地的な無線通信により前記携帯電話装置から音を受信して音入出力部から出力するとともに、前記音入出力部を介して入力される音を局地的な無線通信により前記携帯電話装置に送信する通信方法を提供する。
【００３２】
また本発明は、携帯電話装置との間に局所的な双方向無線通信のための第１の通信リンクを確立するとともに、音入出力部を有するヘッドセットとの間に局所的な双方向無線通信のための第２の通信リンクを確立し、前記第２の通信リンクを介して音データ通信を含む局地的な双方向無線通信を行う局地的無線通信部と、前記携帯電話装置を制御する命令信号を前記局地的無線通信部により送信する制御部とを有し、前記携帯電話装置は、前記第１の通信リンクを介して前記装着型無線通信装置から受信される情報を前記第２の通信リンクを介して前記ヘッドセットに送信する第１の中継機能を有し、前記制御部は、前記第１の中継機能を利用し、前記ヘッドセットを制御するための命令信号を前記第１および第２のリンクを介して前記ヘッドセットに送信する装着型無線通信装置を提供する。
【００３３】
［図面の簡単な説明］
図１は、この発明の第１実施形態である携帯テレビ電話システムの構成を示す図である。
図２は、同実施形態における携帯電話装置および腕時計型情報機器の構成を示すブロック図である。
図３は、同実施形態における腕時計型情報機器の表示例を示す図である。
図４は、同実施形態における携帯電話装置および腕時計型情報機器の使用態様を示す図である。
図５は、この発明の第２実施形態である携帯テレビ電話システムの構成を示す図である。
図６は、同実施形態における携帯電話装置および腕時計型情報機器の構成を示すブロック図である。
図７は、この発明の第３実施形態である携帯テレビ電話システムの構成を示す図である。
図８は、同実施形態における携帯電話装置、腕時計型情報機器およびヘッドセットの使用態様を示す図である。
図９は、同実施形態における携帯電話装置、腕時計型情報機器およびヘッドセットの構成を示すブロック図である。
図１０は、同腕時計型情報機器のＲＦ部の構成を示すブロック図である。
図１１は、同腕時計型情報機器のベースバンド処理部の構成を示すブロック図である。
図１２Ａおよび図１２Ｂは、同実施形態の動作を示すシーケンス図である。
図１３は、同実施形態において構成されるピコネットを示す図である。
図１４は、同実施形態において行われるパケット転送の様子を示すタイムチャートである。
図１５は、同実施形態における腕時計型情報機器の表示例を示す図である。
【００３４】
［発明を実施するための最良の形態］
次に本発明の好適な実施形態について図面を参照して説明する。
【００３５】
［１］  第１実施形態
［１．１］  第１実施形態の構成
図１は、この発明の第１実施形態である携帯テレビ電話システム１０の構成を示す図である。図１に示すように、携帯テレビ電話システム１０は、携帯電話装置１１と、腕時計型情報機器１２とを主要な構成要素として有している。携帯電話装置１１は、ＭＰＥＧ４（Moving Picture Experts Group phase4）などの動画像処理が可能であり、移動通信網あるいはこれと固定電話網を介して通信相手と音声通信およびデータ通信を行うことができる。腕時計型情報機器１２は、一般的な腕時計としての機能とともに、携帯電話装置１１とブルートゥース（Bluetooth）などによる局地的な双方向無線通信（近距離無線通信）を行う機能を有している。腕時計型情報機器１２は、この双方向通信により、携帯電話装置１１から動画や文字情報に関するデータを受信して表示するとともに、撮像を行って画像データを携帯電話装置１１に送信することができる。
【００３６】
図２は携帯電話装置１１および腕時計型情報機器１２の構成を示すブロック図である。また、図３には腕時計型情報機器１２の外観が示されている。まず、図２を参照し、携帯電話装置１１の構成について説明する。ブルートゥースモジュール２２は、ブルートゥース通信におけるＲＦ（Radio Frequency）層の処理を行うＲＦ部３４と、ＲＦ層の上位層であるベースバンド層の処理を行うベースバンド処理部３５とを有している。マイクロプロセッサ２３は、各種データを記憶するＲＯＭ、ＲＡＭなどのメモリ（図示略）を有している。マイクロプロセッサ２３は、このメモリを利用して、通信制御、アプリケーション制御を行うとともに、携帯電話装置１１全体を制御する。ＬＣＤドライバ２５は、マイクロプロセッサ２３による制御の下、ＬＣＤ（Liquid Crystal Display）２４を駆動する装置である。ＲＦ部２７は、送信対象であるベースバンド信号によって変調された信号を生成し、これを携帯電話用アンテナ２６から送信するとともに、携帯電話用アンテナ２６の受信信号からベースバンド信号を復調し、移動通信網との間で双方向の無線通信を行う装置である。Ｗ−ＣＤＭＡベースバンド処理部２８は、Ｗ−ＣＤＭＡ（Wide-band Code Division Multiple Access）方式によるベースバンド処理を行う装置である。Ｗ−ＣＤＭＡベースバンド処理部２８には音声コーデック２９が接続されており、この音声コーデック２９には、音声インターフェース部３２を介してスピーカ３０とマイク３１が接続されている。ここで、音声コーデック２９は、Ｗ−ＣＤＭＡベースバンド処理部２８の出力信号をデコードして音声データを出力し、音声インターフェース部３２は、この音声データをディジタル／アナログ変換してアナログ音声信号を生成し、スピーカ３０から音声として出力する。一方、音声インターフェース部３２は、マイク３１を介して入力されたアナログ信号をアナログ／ディジタル変換して音声データを生成し、音声コーデック２９は、この音声データをエンコードしてＷ−ＣＤＭＡベースバンド処理部２８に出力する。ブルートゥースモジュール２２、マイクロプロセッサ２３、Ｗ−ＣＤＭＡベースバンド処理部２８およびＬＣＤドライバ２５は相互にバス３３を介して接続されている。
【００３７】
次に、図２および図３を参照し、腕時計型情報機器１２の構成について説明する。基準信号生成回路５５は、外付けの水晶発振子５６により発振信号を生成し、この発振信号から腕時計型情報機器１２内の各部のタイミング制御のための信号を生成する装置である。不揮発性メモリ５７は、通信のためのＩＤなどの情報を記憶するメモリである。ブルートゥースモジュール４２は、ブルートゥース通信におけるＲＦ層の処理を行うＲＦ部５３と、ベースバンド層の処理を行うベースバンド処理部５４とを有している。ウォッチＣＰＵ４３は、計時制御を行うとともに、腕時計型情報機器１２全体を制御する装置である。ＬＣＤドライバ４５は、ウオッチＣＰＵ４３による制御の下、ＬＣＤ４４を駆動する装置である。腕時計型情報機器１２が通話を行っておらず、かつ、ＬＣＤ４４によるデータの表示も行っていないとき、ＬＣＤ４４には、ウオッチＣＰＵ４３による制御の下、現在時刻が表示される。操作スイッチ部４６には、ユーザが各種操作を行うための操作スイッチＳＷ１〜ＳＷ４（図３参照）が設けられている。入力インターフェース部４７は、操作スイッチ部４６において発生する操作イベントをウオッチＣＰＵ４３に伝える装置である。ＣＭＯＳイメージセンサ４８は、カメラとしての機能を果たす装置であり、撮像を行い、画像信号を出力する。画像処理部４９は、ＣＭＯＳイメージセンサ４８から出力される画像信号のアナログ／ディジタル変換および画像同期処理を行い、原画像データを出力する装置である。ＭＰＥＧ４ビデオコーデック５１は、画像データを格納するためのフレームメモリ５０を有している。ＭＰＥＧ４ビデオコーデック５１は、このフレームメモリ５０を利用し、ＭＰＥＧ４に準拠した符号化方法に従って、原画像データから符号化画像データを生成する。また、ＭＰＥＧ４ビデオコーデック５１は、ブルートゥースモジュール４２を介して携帯電話装置１１から符号化画像データを受信する。そして、ＭＰＥＧ４ビデオコーデック５１は、フレームメモリ５０を利用し、ＭＰＥＧ４に準拠した復号方法に従って、この符号化画像データから表示画像データを復号する。基準信号生成回路５５、不揮発性メモリ５７、ブルートゥースモジュール４２、ウオッチＣＰＵ４３、ＬＣＤドライバ４５、入力インターフェース部４７およびＭＰＥＧ４ビデオコーデック５１は、相互にバス５２を介して接続されている。また、基準信号生成回路５５、不揮発性メモリ５７、ブルートゥースモジュール４２、ウオッチＣＰＵ４３、ＬＣＤドライバ４５、入力インターフェース部４７、ＭＰＥＧ４ビデオコーデック５１およびフレームメモリ５０には、電池５８から電力が供給される。なお、電池５８からの電力供給が途絶えても、不揮発性メモリ５７の記憶情報は消失しない。
【００３８】
［１．２］  第１実施形態の動作
ある発呼者の電話装置から携帯電話装置１１に着信があると、携帯電話装置１１のＲＦ部２７は、アンテナ２６の受信信号からベースバンド信号を復調する。Ｗ−ＣＤＭＡベースバンド処理部２８は、このベースバンド信号から符号化画像データと符号化音声データとを各々別々に抽出する。
【００３９】
ブルートゥースモジュール２２は、マイクロプロセッサ２３による制御の下、符号化画像データにベースバンド層およびＲＦ層の各処理を施し、符号化画像データによって変調された信号を生成する。この信号はブルートゥース用アンテナ２１を介して腕時計型情報機器１２に送信される。これと並行して、音声コーデック２９は、符号化音声データから音声データを復号する。音声インターフェース部３２は、この音声データをアナログ音声信号にしてスピーカ３０から出力する。この結果、発呼者の音声がスピーカ３０から発声される。
【００４０】
腕時計型情報機器１２では、携帯電話装置１１からの信号がブルートゥース用アンテナ４１によって受信される。ブルートゥースモジュール４２は、この受信信号にＲＦ層の処理およびベースバンド層の処理を施し、ベースバンド信号である符号化画像データを復調する。ＭＰＥＧ４ビデオコーデック５１は、ウオッチＣＰＵ４３による制御の下、フレームメモリ５０を用いて符号化画像データから画像データを復号し、ＬＣＤドライバ４５に画像データを出力する。ＬＣＤドライバ４５は、この画像データに対応する画像をＬＣＤ４４の表示画面に表示する。図３には、このようにしてＬＣＤ４４の表示画面に表示された発呼者の画像が例示されている。
【００４１】
携帯テレビ端末システム１０のユーザＵは、図４に例示するような無理のない姿勢で、携帯電話装置１１および腕時計型情報機器１２を用いて、発呼者とテレビ電話通信を行うことができる。すなわち、ユーザＵは、スピーカ３０が耳の近くに位置し、マイク３１が口元近くに位置するように、携帯電話装置１１を持って、発呼者との音声通話を行うことができる。同時にユーザＵは、適度な距離をおいて腕時計型情報機器１２のＬＣＤ４４およびＣＭＯＳイメージセンサ４８と対面し、ＬＣＤ４４に表示された発呼者からの受信画像を確認しながら、自己の姿をＣＣＤイメージセンサ４８に撮像させることができる。このときの携帯電話装置１１および腕時計型情報機器１２の動作は次の通りである。
【００４２】
まず、ユーザＵが発声すると、その音声信号がマイク３１から出力される。この音声信号は、音声インターフェース部３２によりディジタル信号である音声データに変換される。音声コーデック２９は、音声データから符号化音声データを生成する。Ｗ−ＣＤＭＡベースバンド処理部２８は、符号化音声データをベースバンド信号としてＲＦ部２７に出力する。ＲＦ部２７は、このベースバンド信号によって変調された信号を生成し、携帯電話用アンテナ２６から送信する。この結果、発呼者側では、ユーザＵの音声が出力される。
【００４３】
また、ＣＭＯＳイメージセンサ４８により撮像されたユーザＵの画像は、画像信号として画像処理部４９に出力される。画像処理部４９は、画像信号のアナログ／ディジタル変換および画像同期処理を行って原画像データをＭＰＥＧ４ビデオコーデック５１に出力する。ＭＰＥＧ４ビデオコーデック５１は、ウオッチＣＰＵ４３による制御の下、原画像データから符号化画像データを生成し、ブルートゥースモジュール４２に転送する。ブルートゥースモジュール４２は、符号化画像データにベースバンド層およびＲＦ層の各処理を施し、符号化画像データによって変調された信号を生成し、ブルートゥース用アンテナ４１から送信する。この信号が携帯電話装置１１のブルートゥース用アンテナ２１により受信されると、ブルートゥースモジュール２２は、受信信号にＲＦ層およびベースバンド層の各処理を施し、符号化画像データを復調する。Ｗ−ＣＤＭＡベースバンド処理部２８は、符号化画像データをベースバンド信号としてＲＦ部２７に出力する。ＲＦ部２７は、ベースバンド信号によって変調された信号を生成し、携帯電話用アンテナ２６から送信する。この信号は移動通信網を介して発呼者側に送られる。この結果、発呼者側では、ユーザＵの画像が表示される。
【００４４】
［１．３］  第１実施形態の効果
以上説明したように、本実施形態によれば、無理のない姿勢で、携帯電話装置により他者との通話を行いながら、同時にその通信相手からの受信画像を腕時計型情報機器の表示部に表示させるとともに通信相手宛の送信画像の撮像を行うことができる。
【００４５】
［１．４］  第１実施形態の変形例
［１．４．１］  第１変形例
この変形例では、ユーザによって、腕時計型情報機器１２の不揮発性メモリ５７に、所望の通信相手の電話番号あるいはその通信相手の氏名、ニックネームなどの情報が格納される。そして、携帯電話装置１１に着信があると、発呼者の電話番号を含む着信報知信号が腕時計型情報機器１２に送られる。腕時計型情報機器１２では、この着信報知信号に含まれる電話番号がＬＣＤ４４に表示されるとともに、この電話番号に対応した通信相手の氏名やニックネームが不揮発性メモリ５７から読み出され、ＬＣＤ４４に表示される。この変形例によれば、ユーザは、腕時計型情報機器１２のＬＣＤ４４の表示により、発呼者を確認することができる。なお、この変形例において、携帯電話装置１１が音声応答機能を持っている場合には、この音声応答機能を働かせるための命令信号を送信する機能を腕時計型情報機器１２に持たせてもよい。すなわち、着信時に腕時計型情報機器１２の操作スイッチ部４６の操作スイッチＳＷ１〜ＳＷ４を操作して着信応答指示を入力すると、腕時計型情報機器１２はこれを携帯電話装置１１に転送する。携帯電話装置１１は、この着信応答指示を受けて、着信応答処理を行う。この着信応答処理の例として、発呼者に対してそのままオフフック状態で待ってもらうための一時待機要請音声メッセージの送信や、後でかけ直してもらうための再発呼要請音声メッセージの送信や、留守番録音として伝言を入れてもらうためのメッセージ記憶処理が挙げられる。
【００４６】
［１．４．２］  第２変形例
この変形例では、携帯電話装置１１に電子メールの着信があったときに、電子メールの標題などを腕時計型情報機器１２に送る。腕時計型情報機器１２は、この標題を表示する。この状態において、操作スイッチ部４６の操作スイッチＳＷ１〜ＳＷ４の所定操作が行われると、腕時計型情報機器１２は、携帯電話装置１１に電子メールのダウンロードおよび腕時計型情報機器１２への転送を要求する。そして、腕時計型情報機器１２は、携帯電話装置１１から電子メールを受け取って、その内容をＬＣＤ４４に表示する。
【００４７】
［１．４．３］  第３変形例
この変形例において、腕時計型情報機器１２には、携帯電話装置１１と同様なマイク、スピーカ、音声入出力インターフェース部および音声コーデックなどの音声通信のための装置が設けられている。携帯電話装置１１は、発呼者との回線接続を行うと、発呼者からの音声を腕時計型情報機器１２に送るとともに、腕時計型情報機器１２から音声が送られてきたときには、これを発呼者に送る。この変形例によれば、携帯電話装置１１が鞄などに入れられた状態であっても、ユーザは腕時計型情報機器１２を利用して通話をすることができる。この場合において、腕時計型情報機器１２の音声データ通信機能は、ユーザが任意に利用／非利用を設定できるようにしてもよい。
【００４８】
［２］  第２実施形態
図５はこの発明の第２実施形態である携帯テレビ電話端末システム１０Ａの構成を示す図である。また、図６は同システム１０Ａの主要な構成要素である携帯電話装置１１Ａおよび腕時計型情報機器１２の構成を示すブロック図である。
【００４９】
携帯電話装置１１Ａは、上記第１実施形態における携帯電話装置１１に対し、カメラ５８、画像処理部５９、ＭＰＥＧ４ビデオコーデック６１およびフレームメモリ６０が追加された構成となっている。カメラ５８は、撮像を行い、画像信号を出力する。画像処理部５９は、カメラ５８から出力された画像信号のアナログ／ディジタル変換および画像同期処理を行って原画像データを出力する装置である。ＭＰＥＧ４ビデオコーデック６１は、フレームメモリ６０を用い、ＭＰＥＧ４方式の符号化方法により、画像処理部５９から出力された原画像データから符号化画像データを生成する。また、ＭＰＥＧ４ビデオコーデック６１は、携帯電話用アンテナ２６、ＲＦ部２７、Ｗ−ＣＤＭＡベースバンド処理部２８を介して通信相手から符号化画像データを受信したり、あるいはブルートゥースモジュール２２を介して腕時計型情報機器１２から符号化画像データを受信することができる。ＭＰＥＧ４ビデオコーデック６１は、フレームメモリ６０を用い、ＭＰＥＧ４方式の復号方法により、各符号化画像データから画像データを復号する。他の構成要素については、上述した携帯電話装置１１と同様であるので説明を省略する。また、本実施形態における腕時計型情報機器１２は、上記第１実施形態のものと同じであるので、その説明を省略する。
【００５０】
本実施形態によれば、上記第１実施形態と同様、腕時計型情報機器１２側で動画表示を含む画像表示を行うことが可能であるとともに、携帯電話装置１１Ａ単独でも通信相手との間で音声と動画像の授受を行うことができる。以下、動画像の授受に関する動作を説明する。なお、音声の授受のための動作は一般的な携帯電話装置と何ら変わるところがないので説明を省略する。
【００５１】
まず、携帯電話装置１１Ａに着信があると、ＲＦ部２７は、アンテナ２６の受信信号からベースバンド信号を復調し、Ｗ−ＣＤＭＡベースバンド処理部２８は、ベースバンド信号から符号化画像データと符号化音声データとを各々別々に抽出する。ここで、符号化画像データは、例えば発呼者の顔の画像を表しており、符号化音声データは発呼者の音声を表している。符号化音声データは、音声コーデック２９、音声インタフェース３２を介することにより、音声としてスピーカ３０から出力される。
【００５２】
ＭＰＥＧ４ビデオコーデック６１は、マイクロプロセッサ２３による制御の下、符号化画像データから画像データを復号して、ＬＣＤドライバ２５に出力する。ＬＣＤドライバ２５は、画像データによりＬＣＤ２４を駆動する。この結果、ＬＣＤ２４に例えば発呼者の顔の画像が表示される。
【００５３】
また、カメラ５８により撮像が行われ、画像信号がカメラ５８から画像処理部５９に出力される。画像処理部５９は、画像信号のアナログ／ディジタル変換および画像同期処理を行って原画像データを生成する。ＭＰＥＧ４ビデオコーデック６１は、マイクロプロセッサ２３による制御の下、ＭＰＥＧ４方式の符号化方法により、原画像データから符号化画像データを生成する。Ｗ−ＣＤＭＡベースバンド処理部２８は、符号化画像データをベースバンド信号とし、ＲＦ部２７はこのベースバンド信号によって変調された信号を生成し、携帯電話用アンテナ２６から送信する。この信号は移動通信網を介して発呼者側に送信される。この結果、発呼者側では、携帯電話装置１１ＡのユーザＵ（図４参照）の画像が表示される。
【００５４】
以上のように、本実施形態によれば、第１実施形態の効果に加えて、携帯電話装置のみでも動画像を含む画像データの授受が可能であり、使い勝手を向上させることができるという効果が得られる。
【００５５】
なお、上記実施形態では、通信相手と画像の授受を行うのは、携帯電話装置１１Ａあるいは腕時計型情報機器１２のいずれか一方であった。しかし、携帯電話装置１１Ａが、携帯電話装置１１Ａによって撮像された画像（例えば画像Ｐ１とする）と腕時計型情報機器１２によって撮像された画像（例えば画像Ｐ２とする）とを合成して１画面に表示可能な画像（例えば画像Ｐ３とする）を作り、通信相手に送るようにしてもよい。この場合において、複数人の画像を通話先に送ることも可能である。具体的な合成方法として次のものがある。ます、フレームメモリ６０に上記の画像Ｐ１およびＰ２をいったん格納する。次いで画像Ｐ１およびＰ２の各々の水平走査線の数を約半分〜２／３程度にする間引きを行う。そして、間引き後の両画像を合成して新たな画像を生成する。このような方法により、例えば画面の上半分に画像Ｐ１の一部を含み、画面の下半分に画像Ｐ２の一部を含んだ画像Ｐ３の画像データが得られる。
【００５６】
［３］  第３実施形態
［３．１］  実施形態の構成
図７はこの発明の第３実施形態である携帯テレビ電話システム１０Ｂの構成を示す図である。図７に示すように、携帯テレビ電話システム１０Ｂは、携帯電話装置１１Ｂと、腕時計型情報機器１２Ｂと、ヘッドセット１３とを主要な構成要素として有している。図８は、携帯電話装置１１Ｂと、腕時計型情報機器１２Ｂと、ヘッドセット１３の使用態様を例示する図である。図８に示す例において、ユーザＵは、自分の鞄の中に携帯電話装置１１Ｂを収納し、腕に腕時計型情報機器１２Ｂを装着し、頭部にヘッドセット１３を装着している。
【００５７】
ここで、携帯電話装置１１Ｂは、ＭＰＥＧ４などの動画像処理が可能であり、移動通信網に収容された他の携帯電話装置あるいは固定電話網に接続された電話装置と通信を行うことができる。腕時計型情報機器１２Ｂは、一般的な腕時計としての機能を有するとともに、携帯電話装置１１Ｂおよびヘッドセット１３と局地的な双方向無線通信（近距離無線通信）を行う機能を有している。腕時計型情報機器１２Ｂは、この双方向通信により、携帯電話装置１１から動画や文字を表す情報を受信して表示するとともに、撮像を行って画像データを携帯電話装置１１に送信することができる。また、腕時計型情報機器１２Ｂは、音楽データの送信を指示する命令をヘッドセット１３に送信する機能を有している。ヘッドセット１３は、携帯電話装置１１Ｂおよび腕時計型情報機器１２Ｂと局地的な双方向無線通信（近距離無線通信）を行う。そして、ヘッドセット１３は、この双方向無線通信により、携帯電話装置１１Ｂから音楽データを受信してステレオ音楽再生を行うことができる。
【００５８】
図９は、携帯電話装置１１、腕時計型情報機器１２およびヘッドセット１３の構成を示すブロック図である。ここで、図９を参照し、ヘッドセット１３について説明する。図９において、ブルートゥースモジュール７２は、ブルートゥース用アンテナ７１を介して携帯電話装置１１Ｂとの間で局地的な双方向無線通信の一種であるブルートゥース通信を行う装置である。このブルートゥースモジュール７２は、ブルートゥース通信におけるＲＦ層の処理を行うＲＦ部８２とベースバンド層の処理を行うベースバンド処理部８３とを有している。マイクロプロセッサ７３は、各種データを記憶するＲＯＭ、ＲＡＭなどのメモリ７５を有している。マイクロプロセッサ７３は、このメモリを利用して、通信制御、アプリケーション制御を行うとともに、ヘッドセット１３全体を制御する。メモリ７５は、ＭＰ３（MPEG Audio layer3）形式のオーディオデータを格納するために設けられている。メモリ７５に格納されるデータの一例として、携帯電話装置１１Ｂによって取得された音楽のコンテンツや、いわゆる着信メロディの音声データがある。メモリ７５は、好ましくはヘッドセット１３に対して着脱可能な不揮発性の半導体メモリである。オーディオ再生部７４は、マイクロプロセッサ７３による制御の下、ＭＰ３形式のオーディオデータのステレオ音楽再生を行う。ブルートゥースモジュール７２には音声コーデック７４が接続されている。この音声コーデック７４は、アンプ８０を介してヘッドホン７９に接続されるとともに、アンプ７８を介してマイク７７に接続されている。音声コーデック７４は、ブルートゥースモジュール７２を介して入力された符号化音声データからアナログ音声信号をデコードして出力する。アンプ８０は、このアナログ音声信号を増幅して、ヘッドホン７９から音声として出力することができる。アンプ７８は、マイク７７を介して入力された音声信号を増幅して音声コーデック７６に出力する。音声コーデック７６は、この音声信号から符号化音声データを生成し、ブルートゥースモジュール７２に出力する。ブルートゥースモジュール７２、マイクロプロセッサ７３およびオーディオ再生部７４は、相互にバス８１を介して接続されている。
【００５９】
次に、携帯電話装置１１Ｂについて説明する。本実施形態における携帯電話装置１１Ｂでは、上記第１実施形態におけるマイクロプロセッサ２３（図２参照）に代えて、マイクロプロセッサ２３Ｂが設けられている。上記第１実施形態におけるマイクロプロセッサ２３は、ブルートゥースモジュール３５により、腕時計型情報機器１０との間の通信リンクを確立し、この通信リンクを介して、腕時計型情報機器１０と情報の授受を行った。これに対し、本実施形態におけるマイクロプロセッサ２３Ｂは、ブルートゥースモジュール３５により、腕時計型情報機器１２Ｂとの間の通信リンクと、ヘッドセット１３との間の通信リンクを確立し、これらの通信リンクを利用して、腕時計型情報機器１２Ｂおよびヘッドセット１３の各々と情報の授受を行う。他の点については上記第１実施形態における携帯電話装置１１と同様である。
【００６０】
次に、腕時計型情報機器１２Ｂについて説明する。本実施形態における腕時計型情報機器１２Ｂでは、上記第１実施形態におけるブルートゥースモジュール４２およびウオッチＣＰＵ４３（図２参照）に代えて、ブルートゥースモジュール４２ＢおよびウオッチＣＰＵ４３Ｂが設けられている。
【００６１】
ブルートゥースモジュール４２Ｂは、携帯電話装置１１Ｂとの間で局地的な双方向無線通信の一種であるブルートゥース通信を行う装置である。本実施形態において行われるブルートゥース通信は、いわゆる半２重の双方向無線通信である。ブルートゥースモジュール４２Ｂは、ブルートゥース通信におけるＲＦ層の処理を行うＲＦ部５３Ｂとベースバンド層の処理を行うベースバンド処理部５４Ｂとにより構成されている。より具体的には、ベースバンド処理部５４Ｂは、ウオッチＣＰＵ４３Ｂによる制御の下、腕時計型情報機器１２Ｂの通信相手との間でベースバンド信号の授受を行う装置である。ＲＦ部５３Ｂは、携帯電話装置１１Ｂ宛てのベースバンド信号を用いて、周波数ホッピング（ＦＨ）方式のスペクトル拡散変調を行い、この結果得られる送信信号をアンテナ４１から出力する。また、ＲＦ部５３Ｂは、アンテナ４１の受信信号に対して、ＦＨ方式のスペクトル逆拡散を行い、腕時計型情報機器１２Ｂ宛てのベースバンド信号を復調する。
【００６２】
ここで、図１０を参照し、ＲＦ部５３Ｂの構成について説明する。図１０に示すように、アンテナ４１はアンテナフィルタ５３０１を介して、半２重双方向通信を行うための送受信切換を行うスイッチ回路５３０２に接続されている。スイッチ回路５３０２は、腕時計型情報機器１２Ｂが送信を行うときにはアンテナフィルタ５３０１をパワーアンプ５３３５の出力端子に接続し、受信を行うときにはアンテナフィルタ５３０１をＲＦアンプ５３２１の入力端子に接続する。
【００６３】
ＰＬＬ制御部５３１１、ローパスフィルタ５３１２および電圧制御発振器（ＶＣＯ）５３１３は、発振信号ＳＶＣＯを生成するＰＬＬ（Phase Locked Loop）を構成している。ＰＬＬ制御回路５３１１には、ベースバンド処理部５４Ｂからシンセサイザ制御信号ＳＳＹが供給される。発振信号ＳＶＣＯの周波数は、このシンセサイザ制御信号ＳＳＹにより決定される。ベースバンド処理部５４Ｂは、所定のＦＨパターンに従って発振信号ＳＶＣＯの周波数を時間的に変化させるために、シンセサイザ制御信号ＳＳＹを順次変化させる。バッファアンプ５３１４は、発振信号ＳＶＣＯを増幅してミキサ５３２２に供給する。
【００６４】
ＲＦアンプ５３２１、ミキサ５３２２、バンドパスフィルタ５３２３、ＩＦアンプ５３２４および復調回路５３２５は、アンテナフィルタ５３０１およびスイッチ回路５３０２を介してアンテナ４１の受信信号を受け取り、この受信信号から受信データＤＲＸを復調する受信回路を構成している。さらに詳述すると、受信時において、上述したアンテナフィルタ５３０２は、アンテナ４１の受信信号から不要な成分を除去して、必要な成分のみをスイッチ回路５３０２を介してＲＦアンプ５３２１に出力する。ＲＦアンプ５３２１は受信信号を増幅してミキサ５３２２に送る。このミキサ５３２２には、ＦＨパターンに従って周波数が時間的に変化する発振信号ＳＶＣＯが供給される。ミキサは、この発振信号ＳＶＣＯをＲＦアンプ５３２１からの受信信号に混合することにより、受信信号に対してスペクトル逆拡散を施す。バンドパスフィルタ５３２３は、ミキサ５３２２の出力信号の中から中間周波数帯のＩＦ（Intermediate Frequency）信号を選択し、ＩＦアンプ５３２４に出力する。ＩＦアンプ５３２４は、ＩＦ信号の増幅を行って復調回路５３２５に出力する。復調回路５３２５は、ＩＦ信号からベースバンド信号である受信データＤＲＸを復調し、ベースバンド処理部５４Ｂに出力する。
【００６５】
変調回路５３３１、ＩＦアンプ５３２２、ローパスフィルタ５３２３、ミキサ５３３４およびパワーアンプ５３３５は、スイッチ回路５３０２に供給する送信信号を生成する送信回路を構成している。さらに詳述すると、送信時において変調回路５３３１は、ベースバンド処理部５４Ｂから供給される送信データＤＴＸによってキャリアの変調を行い、ＩＦ信号を出力する。このＩＦ信号はＩＦアンプ５３２２およびローパスフィルタ５３３３を介してミキサ５３３４に供給される。このミキサ５３３４には、ＦＨパターンに従って周波数が時間的に変化する発振信号ＳＶＣＯが供給される。ミキサ５３３４は、この発振信号ＳＶＣＯをＩＦ信号と混合して、ＦＨ方式のスペクトル拡散をＩＦ信号に施し、高周波信号である送信信号を出力する。パワーアンプ５３３５は、この高周波信号を増幅し、スイッチ回路５３０２に出力する。アンテナフィルタ５３０１は、パワーアンプ５３３５の出力信号をスイッチ回路５３０２を介して受け取り、これから不要な成分を除去して必要な成分のみをアンテナ４１へ出力する。
【００６６】
次に、図１１を参照し、ベースバンド処理部５４Ｂの構成について説明する。図１１において、データ通信制御部５４００は、ベースバンド処理部５４Ｂ内の各部の制御を行う装置である。また、上述したシンセサイザ制御信号ＳＳＹは、このデータ通信制御部５４００によって生成される。本実施形態におけるベースバンド処理部５４Ｂは、このデータ通信制御部５４００の配下の回路として、ＡＣＬ（Asynchronous Connection Less）リンクによるデータ通信を行うための回路と、ＳＣＯ（Synchronous Connection Oriented）リンクによるデータ通信を行うための回路とを有している。
【００６７】
ここで、ＡＣＬリンクとは、ブルートゥース技術仕様における非同期型の通信リンクである。１台のマスタと複数のスレーブにより構成されたピコネットにおいて、マスタは、このＡＣＬリンクを利用することにより、各スレーブとデータ通信を行う。この場合のＡＣＬリンクの実効通信速度は、ピコネット内のスレーブ数や送受信されるデータ量に応じて変化する。何故ならば、マスタは、通信スロットの空き状態に応じてスレーブに対してポーリングを行い、空いている通信スロットを利用してスレーブとの間でデータ通信を行うからである。このため、通常は、ＡＣＬリンクは、リアルタイム性があまり要求されない通信に利用される。
【００６８】
本実施形態における腕時計型情報機器１２Ｂも、リアルタイム性が要求されない非同期データをこのＡＣＬリンクを用いて携帯電話装置１１Ｂとの間で送受信する。ここでの非同期データには、例えば腕時計型情報機器１２Ｂと携帯電話装置１１Ｂと間で、各種指示や制御のために用いられる制御データが含まれる。
【００６９】
ＡＣＬリンクによって通信を行う場合、データ通信制御部５４００は、バッファセレクトコントロール信号をスイッチ回路５４３１および５４４１に送ることにより、スイッチ回路５４３１を受信用ＡＣＬバッファメモリ５４３２側に切り換え、スイッチ回路５４４１を送信用ＡＣＬバッファメモリ５４４２側に切り換える。この状態において、復調回路５３２５から出力された受信データＤＲＸは、スイッチ回路５４３１を介して受信用ＡＣＬバッファメモリ５４３２に書き込まれていく。そして、１パケット分の非同期データが書き込まれると、図示せぬメモリコントローラからデータ通信制御部５４００に対して受信割込信号が送出される。この受信割込信号に応じてデータ通信制御部５４００は、受信用ＡＣＬバッファメモリ５４３２に記憶されている非同期データを読み出していく。一方、データ通信制御部５４００によって生成される非同期データは、送信用ＡＣＬバッファメモリ５４４２に書き込まれる。その後、非同期データは、送信用ＡＣＬバッファメモリ５４４２から読み出され、スイッチ回路５４４１を介し、送信データＤＴＸとして変調回路５３３１に出力される。そして、１パケット分の制御データが送出されて送信用ＡＣＬバッファメモリ５４４２がエンプティ（空）になると、図示せぬメモリコントローラからデータ通信制御部５４００に対してデータ送信完了信号が送出される。データ送信完了信号に応じてデータ通信制御部５４００は、次に送信すべき非同期データを送信用ＡＣＬバッファメモリ５４４２に書き込んでいく。
【００７０】
以上が本実施形態においてＡＣＬリンクを利用した通信を行うための構成の詳細である。
【００７１】
次に、ＳＣＯリンクは、ブルートゥース通信に用いられる同期型の通信リンクである。このＳＣＯリンクによる通信は、マスタとスレーブとの間で１対１に行われる。このＳＣＯリンクを利用した通信では、１台のスレーブとマスタとの間の通信のために、あらかじめ定められた周期的な時間間隔で通信スロットが与えられる。従って、スレーブは、一定の通信速度を確保することが可能である（ここでは６４ｋｂｐｓ）。このＳＣＯリンクは、通常は、リアルタイム性が要求される通信に利用される。
【００７２】
本実施形態における腕時計型情報機器１２Ｂも、携帯電話装置１１との間でＳＣＯリンクを用いることにより、リアルタイム性が要求される符号化画像データを送受信する。
【００７３】
ＳＣＯリンクによって通信を行う場合、データ通信制御部５４００は、バッファセレクトコントロール信号をスイッチ回路５４３１および５４４１に送ることにより、スイッチ回路５４３１を受信用ＳＣＯバッファメモリ５４３３側に切り換え、スイッチ回路５４４１を送信用ＳＣＯバッファメモリ５４４３側に切り換える。この状態において、復調回路５３２５から出力された受信データＤＲＸである符号化画像データは、スイッチ回路５４３１を介し、受信用ＳＣＯバッファメモリ５４３３に書き込まれていく。そして、受信用ＳＣＯバッファメモリ５４３３に１パケット分の符号化画像データが書き込まれると、図示せぬメモリコントローラからデータ通信制御部５４００に対して受信割込信号が送出される。受信割込信号に応じてデータ通信制御部５４００は、受信用ＳＣＯバッファメモリ５４３３に記憶されている符号化画像データを読み出し、ＭＰＥＧ４ビデオコーデック５１に供給する。一方、送信を行う場合の動作は次の通りである。まず、通信相手に送るべき符号化画像データがＭＰＥＧ４ビデオコーデック５１から出力されると、この符号化画像データは、データ通信制御部５４００により、送信用ＳＣＯバッファメモリ５４４３に書き込まれる。その後、この符号化画像データは、送信用ＳＣＯバッファメモリ５４４３から読み出され、スイッチ回路５４４１を介し、送信データＤＴＸとして変調回路５３３１に出力される。その後、１パケット分の符号化画像データが送出されて送信用ＳＣＯバッファメモリ５４４３がエンプティ（空）になると、図示せぬメモリコントローラからデータ通信制御部５４００に対してデータ要求割込信号が送出される。このデータ要求割込信号に応じてデータ通信制御部５４００は、次に送信すべき符号化画像データをＭＰＥＧ４ビデオコーデック５１から取得し、送信用ＳＣＯバッファメモリ５４４３に書き込んでいく。
【００７４】
以上が本実施形態においてＳＣＯリンクを利用した通信を行うための構成の詳細である。
【００７５】
図９におけるウォッチＣＰＵ４３Ｂは、以上説明したブルートゥースモジュール４２Ｂにより、携帯電話装置１１Ｂと情報の授受を行う。他の点については、上記第１実施形態と同様であるので説明を省略する。
【００７６】
［３．２］  実施形態の動作
［３．２．１］  基本的な動作シーケンス
図１２Ａおよび図１２Ｂは、本実施形態に係る携帯テレビ電話システムの動作を示すシーケンス図である。以下、このシーケンス図を参照し、本実施形態の動作を説明する。
【００７７】
腕時計型情報機器１２Ｂは、ブルートゥース技術仕様で定められた同期確立フェーズ及び通信接続フェーズを実行し、携帯電話装置１１Ｂおよびヘッドセット１３とともにピコネットと呼ばれる通信ネットワークを形成する（ステップＳ１）。ここで、ブルートゥース技術においては、ピコネットを構成するブルートゥース端末のうちいずれをマスタとするかを自由に決定することができる。しかし、本実施形態においては、携帯電話装置１１Ｂをマスタとし、腕時計型情報機器１２Ａおよびヘッドセット１３をスレーブとし、図１３に示すピコネットを構成する。ピコネットが構成されると、携帯電話装置１１Ｂ、腕時計型情報機器１２Ｂおよびヘッドセット１３の動作モードは、パークモードと呼ばれる低消費電力モードに移行する（ステップＳ２）。これらの状態遷移の際には、マスタ及びスレーブ間で、ブルートゥースアドレスやリンクキー等を用いて通信相手を識別しながら処理が行われるが、これは周知技術であるので詳細な説明は省力する。
【００７８】
この低消費電力モードにおいて、他の電話装置のユーザが、携帯電話装置１１Ｂの電話番号を入力して発呼操作を行ったとする。これに応じて、移動通信網は、基地局１４を介して着信呼出信号を送信する（ステップＳ３）。この着信呼出信号には、着信先となる携帯電話装置１１Ｂの電話番号が含まれる。さらに着信呼出信号には、発呼者となる電話装置の電話番号も含まれる。
【００７９】
一方、基地局１４の無線ゾーンに在圏する携帯電話装置１１Ｂは、着信呼出信号を受信すると（ステップＳ４）、スレーブであるヘッドセット１３に対して、パークモードからＳＣＯリンクによる通信接続フェーズに移行するように指示する。これに応じて携帯電話装置１１Ｂ及びヘッドセット１３の動作は、ＳＣＯリンクによる通信接続フェーズに移行する（ステップＳ５）。次に携帯電話装置１１Ｂは、スレーブである腕時計型情報機器１２Ｂに対して、パークモードからＡＣＬリンクによる通信接続フェーズに移行するように指示する。これに応じて携帯電話装置１１Ｂ及び腕時計型情報機器１２Ｂの動作は、ＡＣＬリンクによる通信接続フェーズに移行する（ステップＳ６）。
【００８０】
ヘッドセット１３との間のＳＣＯリンクおよび腕時計型情報機器１２Ｂとの間のＡＣＬリンクが確立すると、以後、マスタである携帯電話装置１１Ｂは、図１４に例示するように、スレーブであるヘッドセット１３との間でＳＣＯパケットの授受を行うとともに、もう１つのスレーブである腕時計型情報機器１２Ｂとの間でＡＣＬパケットの授受を行うことができる。
【００８１】
なお、ブルートゥース通信において、マスタは同時に最大３台までのスレーブとの間にＳＣＯリンクを確立することが可能である。従って、携帯電話装置１１Ｂとヘッドセット１３との間だけでなく、携帯電話装置１１Ｂと腕時計型情報機器１２Ｂとの間にもＳＣＯリンクを確立してもよい。
【００８２】
上記ＳＣＯリンクおよびＡＣＬリンクの確立後、携帯電話装置１１Ａは、着信報知信号をブルートゥースモジュール２２に送る。ブルートゥースモジュール２２は、この着信報知信号を含むＳＣＯパケットをヘッドセット１３に送信する（以上、ステップＳ７）。
【００８３】
ヘッドセット１３のブルートゥースモジュール７２は、このＳＣＯパケットを受信すると、同パケットから着信報知信号を取り出してマイクロプロセッサ７３に送る。これに応答し、マイクロプロセッサ７３は、オーディオ再生部７４に着信メロディの再生を指示する。この結果、着信メロディがオーディオ再生部７４によって再生され、アンプ８０およびスピーカ７９を介して出力される（以上、ステップＳ８）。
【００８４】
ヘッドセット１３を装着しているユーザＵ（図８参照）は、着信メロディに気が付くと、腕時計型情報機器１２Ａの操作部４６を操作し、着信に応答すべき旨の指示を入力する。ウオッチＣＰＵ４３Ｂは、この指示を操作部４６を介して受け取ると（ステップＳ９）と、着信応答コマンドをブルートゥースモジュール４２Ｂに送る。ブルートゥースモジュール４２Ｂは、この着信応答コマンドを含むＡＣＬパケットを生成し、携帯電話装置１１Ｂに送信する（ステップＳ１０）。
【００８５】
携帯電話装置１１Ｂのブルートゥースモジュール２２は、ＡＣＬパケットを受信すると、これから着信応答コマンドを取り出し、マイクロプロセッサ２３Ｂに送る。マイクロプロセッサ２３Ｂは、着信応答コマンドを受け取ると、着信応答信号をＷ−ＣＤＭＡベースバンド処理部およびＲＦ部２７により送信する（ステップＳ１１）。この着信応答信号は、移動通信網の基地局１４を経由して、発呼者の電話装置に送られる（ステップＳ１２）。これにより発呼者の電話装置と携帯電話装置１１Ｂとの回線接続が完了する。以後、両電話装置の間で双方向のデータ通信が行われる（ステップＳ１３、Ｓ１４、Ｓ１５およびＳ１６）。なお、図１２Ｂにおいて、ステップＳ１３およびＳ１４は、双方向データ通信において行われる発呼者から携帯電話装置１１Ｂへの全てのデータ送信を代表しており、ステップＳ１５およびＳ１６は、携帯電話装置１１Ｂから発呼者への全てのデータ送信を代表している。
【００８６】
この双方向のデータ通信において、発呼者から音声データが受信されると、携帯電話装置１１Ｂのマイクロプロセッサ２３Ｂは、ヘッドセット１３にパケット送信を行うべき旨の指示をブルートゥースモジュール２２に送り、これに続いて、発呼者から受信される一連の音声データをブルートゥースモジュール２２に送る。ブルートゥースモジュール２２は、発呼者からの音声データをＳＣＯパケットに載せ、ヘッドセット１３に送信する（以上、ステップＳ２１）。
【００８７】
ヘッドセット１３のブルートゥースモジュール７２は、携帯電話装置１１ＢからＳＣＯパケットを受信すると、ＳＣＯパケットから音声データを取り出し、音声コーデック７６に送る。音声コーデック７６は、この音声データからアナログ音声信号を生成し、アンプ８０を介してスピーカ７９に送る。この結果、発呼者の声がスピーカ７９から出力される（以上、ステップＳ２２）。
【００８８】
ユーザＵは、図８に示すようにヘッドセット１３を装着した状態において、スピーカ７９から発せられる発呼者の声を聞くことができる。そして、ユーザＵが発声すると、その音声に対応した音声データが音声コーデック７６から出力される。この音声データは、マイクロプロセッサ７３による制御の下、ブルートゥースモジュール７２に送られる。そして、音声データを含むＳＣＯパケットがブルートゥースモジュール７２により携帯電話装置１１Ｂに送信される（以上、ステップＳ２３）。
【００８９】
携帯電話装置１１Ｂのブルートゥースモジュール２２は、このＳＣＯパケットを受信すると、ＳＣＯパケットから音声データを取り出す（ステップＳ２４）。この音声データは、マイクロプロセッサ２３Ｂによる制御の下、Ｗ−ＣＤＭＡベースバンド処理部２８およびＲＦ部２７を介して送信され、基地局１４および移動通信網を介して発呼者に送られる（ステップＳ１５およびＳ１６）。
【００９０】
また、双方向データ通信において、発呼者から符号化画像データが受信されると（ステップＳ１３およびＳ１４）、携帯電話装置１１Ｂのマイクロプロセッサ２３Ｂは、腕時計型情報機器１２Ｂにパケット送信を行うべき旨の指示をブルートゥースモジュール２２に送り、これに続いて、発呼者から受信される符号化画像データをブルートゥースモジュール２２に送る。ブルートゥースモジュール２２は、発呼者からの符号化画像データをＡＣＬパケットに載せ、腕時計型情報機器１２Ｂに送信する（以上、ステップＳ３１）。
【００９１】
腕時計型情報機器１２Ｂのブルートゥースモジュール４２Ｂは、携帯電話装置１１ＢからＡＣＬパケットを受信すると、ＡＣＬパケットから符号化画像データを取り出す。ウォッチＣＰＵ４３Ｂによる制御の下、ＭＰＥＧビデオコーデック５１はこの符号化画像データから画像データを復号する。ＬＣＤドライバ４５は、この画像データを用いて、ＬＣＤ４４を駆動する。この結果、発呼者から送られてきた画像がＬＣＤ４４に表示される（以上、ステップＳ３２）。
【００９２】
ユーザＵは、図８に示すような姿勢で腕時計型表示装置１１Ｂの表示面を見て、発呼者から送られてきた画像を確認することができる。
【００９３】
ユーザＵは、自分の顔の画像を発呼者に送りたい場合、図８に示すように、腕時計型情報機器１２ＢのＣＭＯＳイメージセンサ４８の撮像面を自分の顔に対向させる。この結果、ＣＭＯＳイメージセンサ４８からユーザＵの顔を画像信号が出力される。そして、画像処理部４９およびＭＰＥＧビデオコーデック５１により、この画像信号から符号化画像データが生成される。この符号化画像データは、ウォッチＣＰＵ４３Ｂによる制御の下、ブルートゥースモジュール４２Ｂに送られ、ＡＣＬパケットに載せられて、携帯電話装置１１Ｂに送られる（以上、ステップＳ３３）。
【００９４】
携帯電話装置１１Ｂのブルートゥースモジュール２２は、このＡＣＬパケットを受信すると、ＡＣＬパケットから符号化画像データを取り出す（ステップＳ３４）。この符号化画像データは、マイクロプロセッサ２３Ｂによる制御の下、Ｗ−ＣＤＭＡベースバンド処理部２８およびＲＦ部２７を介して送信され、基地局１４および移動通信網を介して発呼者に送られる（ステップＳ１５およびＳ１６）。
【００９５】
［３．２．２］  音楽再生時の動作
本実施形態において、ユーザＵは、携帯電話装置１１Ｂによって取得した音楽情報をヘッドセット１３に送り、ヘッドセット１３により音楽鑑賞を行うことができる。以下、その動作を説明する。
【００９６】
まず、ユーザＵは、携帯電話装置１１Ｂにより所望のコンテンツサーバへの発呼を行う。この発呼により携帯電話装置１１Ｂとコンテンツサーバとが接続されると、ユーザＵは、携帯電話装置１１Ｂにより、所望の音楽のオーディオデータをコンテンツサーバに要求する。この結果、ＭＰ３形式のオーディオデータからなるコンテンツとその曲名がコンテンツサーバから携帯電話装置１１Ｂに送信される。この送信データは、携帯電話装置１１ＢのＲＦ部２７によって受信されると、マイクロプロセッサ２３Ｂによる制御の下、Ｗ−ＣＤＭＡベースバンド処理部２８を介してブルートゥースモジュール２２に送られ、複数のＳＣＯパケットに載せられて、ヘッドセット１３宛てに送信される。
【００９７】
ヘッドセット１３のブルートゥースモジュール７２は、ＳＣＯパケットを受信すると、マイクロプロセッサ７３による制御の下、ＳＣＯパケットからデータを取り出してコンテンツを構成する。マイクロプロセッサ７３は、このコンテンツに曲番号を割り当てる。そして、この曲番号と曲名とコンテンツとを対応付け、これらをオーディオ再生部７４を介してメモリ７５に書き込む。また、マイクロプロセッサ７３は、メモリ７５に対する新規なコンテンツの書き込みやメモリ７５内の一部のコンテンツの消去が行われる毎に、その時点におけるメモリ７５内のコンテンツの一覧（具体的にはコンテンツの曲名と曲番の一覧）の情報をブルートゥースモジュール７２に送る。ブルートゥースモジュール７２は、この一覧情報をＳＣＯパケットに載せて携帯電話装置１１Ｂに送信する。携帯電話装置１１Ｂは、この一覧情報をＡＣＬパケットに載せて腕時計型情報機器１２Ｂに転送する。腕時計型情報機器１２Ｂは、この一覧の情報がブルートゥースモジュール４２Ｂによって受信されると、ウオッチＣＰＵ４３Ｂは、この一覧情報を不揮発性メモリ５７に格納する。
【００９８】
その後、ユーザＵが腕時計型情報機器１２Ｂの操作スイッチ部４を操作して音楽再生の指示を与えると、ウオッチＣＰＵ４３Ｂは不揮発性メモリ５７内の一覧情報をＬＣＤドライバ４５に送る。この結果、ＬＣＤ４４にヘッドセット１３のメモリ７５に格納された各コンテンツの曲名と曲番号の一覧が表示される。ユーザＵが操作スイッチ部４６の操作により所望のコンテンツの曲番号を選択すると、入力インターフェース部４７は、音楽再生指示のための命令データを生成し、ウオッチＣＰＵ４３Ｂに送る。この命令データは、ユーザＵによって選択された曲番号を含んでいる。ウォッチＣＰＵ４３Ｂは、この命令データを携帯電話装置１１Ｂに送信すべき旨をブルートゥースモジュール４２に指示する。この指示に従い、ブルートゥースモジュール４２Ｂは、命令データを含むＡＣＬパケットを携帯電話装置１１Ｂに送信する。
【００９９】
携帯電話装置１１Ｂのブルートゥースモジュール２２は、このＡＣＬパケットを受信すると、ＡＣＬパケットから命令データを取り出してマイクロプロセッサ２３Ｂに送る。マイクロプロセッサ２３Ｂは、この命令データが音楽再生を指示する命令データであることを確認すると、この命令データのヘッドセット１３への転送をブルートゥースモジュール２２に指示する。ブルートゥースモジュール２２は、命令データを含むＳＣＯパケットをヘッドセット１３に送信する。
【０１００】
このＳＣＯパケットは、ヘッドセット１３のブルートゥースモジュール７２によって受信される。ブルートゥースモジュール７２は、ＳＣＯパケットから命令データを取り出してマイクロプロセッサ７３に送る。マイクロプロセッサ７２は、この命令データが音楽再生を指示する命令データであることを確認すると、オーディオ再生部７４に対して、命令データに含まれる曲番号に対応したコンテンツの音楽再生を指示する。この指示を受けて、オーディオ再生部７４は、該当するコンテンツをメモリ７５から読み出し、このコンテンツのオーディオデータから音楽信号を復調し、音楽信号をアンプ８０に出力する。アンプ８０は、この音楽信号を増幅してスピーカ７９から出力する。
【０１０１】
曲の再生と並行して、オーディオ再生部７４は、曲名、曲番、当該曲における経過時間、再生対象の全曲に対応する再生時間、再生対象の全曲についての再生残り時間などを示す再生状態データをブルートゥースモジュール７２に出力する。ブルートゥースモジュール７２は、再生状態データを含むＳＣＯパケットを携帯電話装置１１Ｂに送信する。
【０１０２】
この再生状態データは、携帯電話装置１１によって腕時計型情報機器１２Ｂに転送される。腕時計型情報機器１２Ｂでは、再生状態データがＬＣＤドライバ４５に送られ、ＬＣＤ４４に再生中の曲の曲名、曲番、当該曲における経過時間、再生対象の全曲に対応する再生時間、再生対象の全曲についての再生残り時間などの情報が表示される。
【０１０３】
［３．２．３］  携帯電話装置を経由したＷＷＷサーバへのアクセス
本実施形態において、ユーザＵは、音声通話をしていないときに、腕時計型情報機器１２Ｂの操作により、携帯電話装置１１ＢにＷＷＷ（World Wide Web）サーバへのアクセスを行わせることができる。以下、その動作を説明する。
【０１０４】
ユーザＵが腕時計型情報機器１２Ｂの操作スイッチ部４６を操作して所望のＷＷＷサーバへのアクセスを指示すると、ウオッチＣＰＵ４３Ｂは、このアクセス指示をブルートゥースモジュール４２により携帯電話装置１１Ｂに送信する。携帯電話装置１１Ｂは、このアクセス指示に従い、ユーザＵが望むＷＷＷサーバとの接続を行う。ＷＷＷサーバからホームページのＨＴＭＬ（Hiper Text Markup Language）データが送られてくると、携帯電話装置１１ＢはこのＨＴＭＬデータをブルートゥースモジュール２２により腕時計型情報機器１２Ｂに送信する。また、携帯電話装置１１Ｂのマイクロプロセッサ２３Ｂは、ＲＦ部２７の受信レベルや電池残量など、携帯電話装置１１ＢのＬＣＤ２４に表示される情報に変化があると、その変化後の表示情報をブルートゥースモジュール２２により腕時計型情報機器１２Ｂに送信する。この表示情報には、例えばＲＦ部２７の受信レベル、電池残量、現在設定されているモードが含まれる。腕時計型情報機器１２ＢのウォッチＣＰＵ４３Ｂは、このようにして送られてくるホームページのＨＴＭＬデータと携帯電話装置１１Ｂの表示情報から表示データを合成し、ＬＣＤドライバ４５に送る。この結果、図１５に示すように、ＷＷＷサーバへのアクセスを行っている携帯電話装置１１ＢのＬＣＤ２４に表示されているものを同じ情報が腕時計型情報機器１２ＢのＬＣＤ４４に表示される。従って、ユーザは、腕時計型情報機器１２Ｂにより携帯電話装置１１Ｂを遠隔操作し、所望のサイトへのアクセスを行うことができる。同時に、ユーザＵは、そのときの携帯電話装置１１Ｂの受信レベルや電池残量などを腕時計型情報機器１２ＢのＬＣＤ４４の表示により確認することができる。
【０１０５】
［３．３］  第３実施形態の効果
以上説明したように、第３実施形態によれば、ユーザは、携帯電話装置を鞄の中に入れたまま、ヘッドセットを音声通話のための手段として用い、腕時計型情報機器を画像通信のための手段として用いて、第３者とテレビ電話通信を行うことができる。
【０１０６】
［３．４］  第３実施形態の変形例
［３．４．１］  第１変形例
上記実施形態では、腕時計型情報機器の操作スイッチ部の操作により着信応答の指示が行われたが、ヘッドセットのマイクから入力される音声を認識する音声認識回路をヘッドセットあるいは携帯電話装置に持たせ、ある音声が認識されたときに、着信への応答を行うように構成することも可能である。この変形例によれば、腕時計型情報機器に各種情報を表示させつつ、ハンズフリーによる通信を行うことができる。
【０１０７】
［３．４．２］  第２変形例
この変形例は、携帯電話装置に電子メール受信機能や、ホームページ表示機能がある場合を想定している。この変形例において、携帯電話装置は、電子メール着信時あるいはホームページ自動巡回設定時に、電子メールデータやホームページデータを腕時計型情報機器側に転送する。腕時計型情報機器は、この転送データを表示する。この変形例によれば、携帯電話装置を鞄から取り出すことなしに電子メールを読んだり、ホームページを閲覧することができる。また、受信した電子メール内の文字データを音声データに変換する音声合成回路を携帯電話装置に設けて、この音声合成回路から得られる音声データをヘッドセットに転送するようにしてもよい。この変形例によれば、ユーザは、ヘッドセットにより電子メールの内容を聞くことができる。
【０１０８】
［４］  各実施形態に共通の変形例
［４．１］  第１変形例
上記各実施形態においては、局地的な双方向無線通信の方式としてブルートゥース通信を採用したが、これに限定されることはなく、電波を用いた各種無線通信を利用することが可能である。
【０１０９】
［４．２］  第２変形例
上記各実施形態では、装着型無線通信装置の例として腕時計型情報機器を挙げたが、当業者は、上記各実施形態を変形し、指輪型、リング型、ネックレス型、ペンダント型などユーザが装着可能な様々な装着型無線通信装置を構成することが可能である。
【０１１０】
［４．３］  第３変形例
以上の説明においては、ディジタル記録データとして音楽データを再生する場合について述べたが、歌唱、演奏などばかりでなく、語学学習用の会話や、鳥の鳴き声や小川のせせらぎの音などの自然音や、各種合成音などの各種の音に対応するデータを再生するように構成することも可能である。
【０１１１】
ディジタル記録データの記録形式としては、上記実施形態において挙げたＭＰ３形式の他、ＡＴＲＡＣ３形式、ＳｏｕｎｄＶＱ形式などの各種音楽データ圧縮形式や、ＭＩＤＩ形式など様々な記録形式を採用することが可能である。
【図１】
0004182753.tif 000002
【図２】
0004182753.tif 000003
【図３】
0004182753.tif 000004
【図４】
0004182753.tif 000005
【図５】
0004182753.tif 000006
【図６】
0004182753.tif 000007
【図７】
0004182753.tif 000008
【図８】
0004182753.tif 000009
【図９】
0004182753.tif 000010
【図１０】
0004182753.tif 000011
【図１１】
0004182753.tif 000012
【図１２Ａ】
0004182753.tif 000013
【図１２Ｂ】
0004182753.tif 000014
【図１３】
0004182753.tif 000015
【図１４】
0004182753.tif 000016
【図１５】
0004182753.tif 000017